(57)【要約】【課題】部品点数の削減および作業工数の削減となり、部品及び作業のコストアップを低減することができるようにする。 【解決手段】装置筺体に対するディスクの挿入排出および格納保持されたディスクの選択時には、ディスクに干渉しない位置に退避移動し、ディスクの再生時には選択されたディスクを装着する再生位置に移動する再生部を有するディスクチェンジ装置において、前記装置筺体のベースを切り起こし、この切り起こしの前記再生部を前記再生位置に位置決めする位置決め部としたものである。【選択図】図３
2008276896.tif 000002
【特許請求の範囲】
【請求項１】
装置筺体に対するディスクの挿入排出および格納保持されたディスクの選択時には、ディスクに干渉しない位置に退避移動し、ディスクの再生時には選択されたディスクを装着する再生位置に移動する再生部を有するディスクチェンジ装置において、前記装置筺体のベースを切り起こし、この切り起こしの前記再生部を前記再生位置に位置決めする位置決め部としたことを特徴とするディスクチェンジ装置。
【請求項２】
切り起こし先端部を複数に分離し、その分離片は再生部保持部を挟持するように上下に段差を設けて同一方向に折り曲げ加工したことを特徴とする請求項１記載のディスクチェンジ装置。
【請求項３】
切り起こし基部を切り起こし先端側に比べて幅広に構成したことを特徴とする請求項１記載のディスクチェンジ装置。
【発明の詳細な説明】
【技術分野】
【０００１】
この発明は装置筺体内にディスクを挿入排出および選択時には、ディスクに干渉しない位置に退避移動し、ディスクの再生時には選択されたディスクと垂直方向で重なる再生位置に移動して該選択されたディスクを装着して再生する再生部を有するディスクチェンジ装置に関するものである。
【背景技術】
【０００２】
従来のディスクチェンジ装置では、再生部の再生位置での位置決めは、筺体に一体成形された合成樹脂（特許文献１）、または、筺体にカシメ固定されたピン（特許文献２）により行われていた。
【０００３】
【特許文献１】特開２００５−３１０２２５号公報（段落００３２、図４参照）
【特許文献２】特開平１１−３５３７６９号公報（段落００４４、図１１参照）
【発明の開示】
【発明が解決しようとする課題】
【０００４】
従来のディスクチェンジ装置における再生部の位置決めは、筺体に一体成形された合成樹脂製ピン、または、筺体に圧入固定、カシメ固定された金属ピンにより行う構成であったため、合成樹脂製ピンまたは金属ピンを特別に用意しなければならず、部品コストのアップにつながる。また、金属ピンは圧入固定、カシメ固定する取り付け作業が必要となるため、作業アップになっていた。さらに、合成樹脂製ピンを用いる場合は、高低温度下での膨張、収縮によって寸法が変化し、ディスクチッェンジ動作が安定しないという課題があった。
【０００５】
この発明は上記のような課題を解消するためになされたもので、再生部を安定にかつ正確に再生位置に位置させることのできるディスクチェンジ装置を、部品点数の削減および作業工数の削減により、低コストで得ることを目的とする。
【課題を解決するための手段】
【０００６】
この発明に係るディスクチェンジ装置は、装置筺体に対するディスクの挿入排出および格納保持されたディスクの選択時には、ディスクに干渉しない位置に退避移動し、ディスクの再生時には選択されたディスクを装着する再生位置に移動する再生部を有するディスクチェンジ装置において、前記装置筺体のベースを切り起こし、この切り起こしを前記再生部を前記再生位置に位置決めする位置決め部としたものである。
【発明の効果】
【０００７】
以上のように、この発明によれば、装置筺体のベースを切り起こし、この切り起こしを再生部の位置決め部としたので、位置決め部を特別に用意する必要がなく、部品点数の削減および作業工数の削減となり、部品及び作業のコストアップを低減することができるという効果がある。
【発明を実施するための最良の形態】
【０００８】
以下、この発明の実施の形態の図面について説明する。
実施の形態１．
図面はこの発明の実施の形態１によるディスクチェンジ装置の概略図を示すもので、図１は再生部が退避位置に位置する状態を示す図、図２は再生部が再生位置に位置する状態を示す図、図３は図２における位置決め部と再生部との関係を示すもので、（ａ）は位置決め部と再生部とが係合する前の状態を示す斜視図、（ｂ）は位置決め部と再生部とが係合した状態を示す斜視図である。図４は位置決め部を示すもので、（ａ）は側面図、（ｂ）は平面図、（ｃ）は正面図である。
【０００９】
図１〜図４において、装置筺体１は前部垂直板１ａに挿入排出口６を有する。また、装置筺体１は、前部垂直板１ａに近接した内部には挿入排出口６からディスクを挿入し排出させるディスク搬送部（図示せず）を有し、中央部には挿入された複数枚のディスクを格納保持し、この複数枚のディスクの中から希望のディスクを選択するディスク格納保持部を有するが、これ等は周知の構成であるから図示を省略する。
【００１０】
ディスク再生部３は細長い再生部保持部４の一端側上面に回転可能に指示されており、この再生部保持部４の他端側は回転軸７により、装置筺体１のベース１ｂに回動可能に支持されている。この再生部保持部４を回動させる駆動源５は、モータ（図示せず）で駆動される大径ギア５ａ、この大径ギアに噛合うギア群５ｂ、レバー５ｃ，５ｄ等により構成されている。
【００１１】
ディスクの挿入排出および選択時には、再生部保持部４は駆動源５からの駆動力を受けて、再生部３をディスクに干渉しない位置、つまり、図１に示す筺体側面と略平行するように退避移動させ、ディスクの再生時には選択されたディスクの中心軸線上、つまり、図２に示す再生位置に移動させる。
【００１２】
そして、上記ディスクの中心軸線上の装置筺体１のベース１ｂに、再生部保持部４と係合して再生部３を再生位置に位置決めする位置決め部２が設けられている。この位置決め部２は図３に示すように、装置筺体１のベース１ｂの一部を切り起こし加工して形成したものである。この切り起こしの先端側は複数片に分離され、その両側の分離片２ａ、２ｂは分離片の根元から水平に折り曲げられ、中央の分離片２ｃは分離片２ａ、２ｂとの間に再生部３を挟持する隙間を形成するように分離片の途中から水平に折り曲げ加工したものである。また、図４に示すように、水平に折り曲げられた分離片２ａ，２ｂの先端部は下向きに折り曲げ、分離片２ｃの先端部は上向きに折り曲げられ、分離片２ａ，２ｂと分離片２ｃとの先端部間は再生部３を導入するように外広がり傾斜に形成されている。
【００１３】
次に動作について説明する。
図１に示すように、再生部保持部４が筺体側面の略平行するように退避させた状態において、装置筺体１に対するディスクの挿入排出および装置筺体１内に格納保持された複数枚のディスクの中から再生したいディスクの選択を行った後、駆動源５を駆動させて、再生部保持部４を図２に示す位置まで回動させ、再生部保持部４の回動側縁に形成された切り込み部４ａを位置決め部２に係合させる。この場合、位置決め部２を形成する切り起こし先端の分離片２ａ，２ｂと分離片２ｃとの先端部間は再生部保持部４を導入するように外広がり傾斜に形成されているので、再生部３は上下の分離片２ａ，２ｂと分離片２ｃとの間で保持され、選択されたディスクの中心軸線上、つまり、再生位置に位置することになり、再生部保持部４上の再生部３に選択されたディスクを装着し再生を行う。
【００１４】
実施の形態１は、装置筺体のベース１ｂの一部を切り起こして位置決め部２を形成したので、装置筺体のベース１ｂに別部材を取り付けて位置決め部２を形成する場合に比べて、部品点数を削減することができる。また、切り起こし先端部を複数に分離し、その分離片を再生部保持部４を挟持するように上下に段差を設けて同一方向に折り曲げ加工したので、この分離片で一定の負荷を加えて再生部保持部４を保持することができ、ディスクチェンジ動作を安定に行うことができる。また、振動等の外乱があっても、ディスクの軸線方向の触れが押さえられるため、装置の小スペース化を実現できる。
【００１５】
さらに、上下に段差を設けた分離片の端部を互いに反対方向に折り曲げて、再生部保持部４を導入しやすく形成したことにより、再生部保持部４の移動の際、振動等の外乱により、再生部保持部４が上下に振れた場合にも、突っ掛かり、乗り上げ等の係合失敗を防止することができる。
【００１６】
実施の形態２．
図５は実施の形態２による位置決め部２の構成を示す斜視図である。この実施の形態２による位置決め部２は、装置筺体のベース１ｂからの切り起こし基部の幅Ｗ１を切り起こし先端側の幅Ｗ２に比べて幅広に構成したのでものである。このように構成することにより、繰り返される再生部保持部４の当接時の衝撃を繰り返し受けても、位置決め部２は傾くことが無く、常に安定に再生部保持部４を所定位置に位置させることができる。また、位置決め部２にリブを形成しておけば、再生部保持部４の当接時の衝撃に対しより強固となる。
【図面の簡単な説明】
【００１７】
【図１】再生部が退避位置に位置する状態を示す実施の形態１によるディスクチェンジ装置の概略図である。
【図２】再生部が退避位置に位置する状態を示す実施の形態１によるディスクチェンジ装置の概略図である。
【図３】位置決め部と再生部との関係を示すもので、（ａ）は位置決め部と再生部とが係合する前の状態を示す斜視図、（ｂ）は位置決め部と再生部とが係合した状態を示す斜視図である。
【図４】位置決め部を示すもので、（ａ）は側面図、（ｂ）は平面図、（ｃ）は正面図である。
【図５】実施の形態２による切り起こし位置決め部の斜視図である。
【符号の説明】
【００１８】
１  装置筺体、１ａ  装置筺体の前部垂直板、１ｂ  装置筺体のベース、２  位置決め部、３  再生部、４  再生部保持部、４ａ  切り込み部、５  駆動源、６  挿入排出口、７  回動軸。
【図１】
2008276896.tif 000003
【図２】
2008276896.tif 000004
【図３】
2008276896.tif 000005
【図４】
2008276896.tif 000006
【図５】
2008276896.tif 000007